(57)【特許請求の範囲】
【請求項１】
底面に塵埃を吸引するための横長の開口を有する本体ケースに、回転ロータを前記開口の近傍に備えた掃除機用床ノズルにおいて、前記回転ロータはロータ及び清掃体からなり、前記ロータは熱可塑性樹脂から形成され、前記清掃体は、ゴム弾性体から形成され、前記清掃体は外周部に清掃片を有すると共に、前記ロータは円柱形状を形成し、前記清掃片が前記ロータの軸の周りに所定の角度捩りを加えた位置に一体的に形成されつつ、前記ロータにたいして前記清掃体の内周側の端部が重ね合わせとなるように、２層成形による成形方法にて製作したことを特徴とする掃除機用床ノズルの回転ロータ。
【発明の詳細な説明】
【０００１】
【発明の属する技術分野】
本発明は、掃除機のアタッチメントとして使用される床ノズルに内蔵される回転ロータに関するものである。
【０００２】
【従来の技術】
図５に従来の回転ロータを示す。図において、５１は回転ロータで回転ロータを構成するロータ５２を金属製の円柱状とし、その外周に開口する複数の支持溝５３に清掃体５４を挿入固定し、ロータ５２を軸の周りに捩りを加えて清掃体５４を螺旋状とし、ロータ５２の両端部に各々従動プーリ５５及び軸５６を一体に有する従動側ブラケット５７、軸５６を一体に有する遊び側ブラケット５８を固着し、さらにその外側にはワッシャ５９を介して軸受け６０を圧入保持した軸受けホルダー６１が取り付けられ、回転自在に軸支された状態に組み立てられている。
【０００３】
このように構成した従来の掃除機用床ノズルの回転ロータ５１を回転させると清掃体５４が床面を擦り、床面にある塵埃をかき上げて、清掃効果を発揮するものである。
【０００４】
【発明が解決しようとする課題】
しかしながら、上記のように構成した掃除機用床ノズルの回転ロータ５１によれば、回転ロータ５１は、ロータ５２を金属製の円柱状とし、その外周に開口する複数の支持溝５３に清掃体５４を挿入固定し、ロータ５２を軸の周りに捩りを加えて清掃体５４を螺旋状としている。そのため、ロータ５２は、その外周に開口する複数の支持溝５３を有する金属製の円柱状に加工後、捩りを加える加工を必要としている。したがって、ロータ５２は、加工が複雑であり、かつロータ５２に清掃体５４を装着する必要があるという課題を有していた。
【０００５】
本発明は、上記のような問題を解決するためになされたもので、回転ロータの加工を簡単にし、かつロータに清掃体を装着する必要が無い回転ロータを提供することを目的としている。
【０００６】
本発明にかかる掃除機用床ノズルの回転ロータは、次のように構成したものである。
（１）底面に塵埃を吸引するための横長の開口を有する本体ケースに、回転ロータを前記開口の近傍に備えた掃除機用床ノズルにおいて、前記回転ロータはロータ及び清掃体からなり、前記ロータは熱可塑性樹脂から形成され、前記清掃体は、ゴム弾性体から形成され、前記清掃体は外周部に清掃片を有すると共に、前記ロータは円柱形状を形成し、前記清掃片が前記ロータの軸の周りに所定の角度捩りを加えた位置に一体的に形成されつつ、前記ロータにたいして前記清掃体の内周側の端部が重ね合わせとなるように、２層成形による成形方法にて製作したものである。
【０００７】
【発明の実施の形態】
実施の形態１
図１から図２に実施の形態１を示す。図１は本発明の回転ロータの斜視図である。図１において、１は回転ロータ、２はロータ、３は清掃体、５は清掃片である。図２は回転ロータの断面図である。本発明の回転ロータは図１の如く、ロータ２、清掃体３より構成されてある。ロータ２は、円柱形状であり、ロータ２の外周部には、円周方向４等分の位置に清掃片５を有する清掃体３が形成されてある。清掃体３は、図２の如く、外周側の端部が、清掃片５を形成すると共に、内周側の端部が、ロータ２にたいして、重ね合わせとなるように、一体的に形成されてある。回転ロータ１は、樹脂成形金型の内部に、清掃体３に使用する樹脂を充填し、一定時間経過後、ロータ２に使用する樹脂を充填する。前記の如くの要領にて、樹脂を金型に充填することにより、ロータ２にたいして、清掃体３が一体的に成形される。上記の成形方法は、通常、２層成形と呼ばれている。
【０００８】
実施の形態１の回転ロータは、上記の如く構成されてある為、回転ロータの加工を簡単にする事ができる。また、回転ロータは、２層成形にて形成されてある為、ロータにたいして清掃体を組みつける事が無く、組みつけ費用が必要無い。さらにまた、ロータに捩りを加えていない為、回転ロータの、回転時の芯振れ等の精度を向上できる。
【０００９】
実施の形態２
図３に実施の形態２を示す。図３は本発明の回転ロータの斜視図である。図３において、１１は回転ロータ、１２はロータ、１３は清掃体、１５は清掃片である。本発明の回転ロータは図３の如く、ロータ１２、清掃体１３より構成されてある。ロータ１２は、円柱形状であり、ロータ１２の外周部には、ロータ１２の軸の周りに所定の角度捩りを加えた位置に連続的に形成された清掃片１５を有する清掃体１３が形成されてある。清掃体１３は、外周側の端部が、清掃片１５を形成すると共に、内周側の端部が、ロータ１２にたいして、重ね合わせとなるように、２層成形にて、一体的に形成されてある。
【００１０】
実施の形態２の回転ロータは、上記の如く、ロータの軸の周りに所定の角度捩りを加えた位置に連続的に形成された清掃片を有する清掃体が形成されてあると共に、ロータに捩りを加えていない為、清掃片が効率良く、塵埃等を清掃すると共に、回転ロータの、回転時の芯振れ等の精度を向上できる。
【００１１】
実施の形態３
図４に実施の形態３を示す。図４は本発明の回転ロータの斜視図である。図４において、２１は回転ロータ、２２はロータ、２３は清掃体、２５は清掃片である。本発明の回転ロータは図４の如く、ロータ２２、清掃体２３より構成されてある。ロータ２２は、熱可塑性樹脂を使用した円柱形状であり、ロータ２２の外周部には、円周方向４等分の位置に清掃片２５を有する清掃体２３が形成されてある。清掃体２３は、ゴム弾性体を使用してあり、外周側の端部が、清掃片２５を形成すると共に、内周側の端部が、ロータ２２にたいして、重ね合わせとなるように、２層成形にて、一体的に形成されてある。
【００１２】
なお、熱可塑性樹脂としては、ＡＢＳ樹脂、ＡＳ樹脂、ＡＡＳ樹脂、ポリスチレン樹脂、ハイインパクトポリスチレン樹脂等のスチレン系樹脂、ポリメチルメタクリレート樹脂、メチルメタクリレート−ブチルアクリレート共重合体などのアクリル系樹脂、ポリプロピレン樹脂、ポリエチレン樹脂などのオレフィン系樹脂、６−ナイロン樹脂、６６−ナイロン樹脂、４６−ナイロン樹脂などのポリアミド系樹脂、ポリカーボネイト系樹脂、ポリエチレテレフタレート系樹脂、ポリブチレンテレフタレート系樹脂などがあるが、成形性と剛性面を考慮して目的に応じて、樹脂の種類を選択する事が、好ましい。
【００１３】
実施の形態３の回転ロータは、上記の如く構成されてある為、ゴム弾性体を使用した清掃体が、効率良く、塵埃等を清掃すると共に、成形性と剛性面を考慮した熱可塑性樹脂を使用したロータにより、回転ロータの、回転時の芯振れ等の精度を向上できる。
【００１４】
なお、本発明の回転ロータは、ロータが円柱形状に形成されてあるが、回転時の心振れ等の精度を向上させる事ができるものであるなら、円筒形状等であっても、何ら支障は無い。また、清掃体、清掃片の形状、材質等についても、目的に応じて適時、設定しても、何ら支障は無い。さらにまた、ロータの材質についても、剛性を高める為に、添加剤等を添加しても、何ら支障は無い。
【００１５】
【発明の効果】
以上の説明から明らかなように、本発明の掃除機用床ノズルの回転ロータは次に示すような効果を得ることができる。なお、説明に当たっては、請求項の番号と同じ番号を付して説明する。
【００１６】
（１）回転ロータの加工を簡単にする事ができる。また、回転ロータは、２層成形にて形成されてある為、ロータにたいして清掃体を組みつける事が無く、組みつけ費用が必要無い。さらにまた、ロータに捩りを加えていない為、回転ロータの、回転時の芯振れ等の精度を向上できる。
【００１７】
（２）ロータの軸の周りに所定の角度捩りを加えた位置に連続的に形成された清掃片を有する清掃体が形成されてあると共に、ロータに捩りを加えていない為、清掃片が効率良く、塵埃等を清掃すると共に、回転ロータの、回転時の芯振れ等の精度を向上できる。
【００１８】
（３）ゴム弾性体を使用した清掃体が、効率良く、塵埃等を清掃すると共に、成形性と剛性面を考慮した熱可塑性樹脂を使用したロータにより、回転ロータの、回転時の芯振れ等の精度を向上できる。
【図面の簡単な説明】
【図１】  本発明の実施の形態１の回転ロータの斜視図である。
【図２】  本発明の実施の形態１の回転ロータの断面図である。
【図３】  本発明の実施の形態２の回転ロータの斜視図である。
【図４】  本発明の実施の形態３の回転ロータの斜視図である。
【図５】  従来の回転ロータの断面図である。
【符号の説明】
１、１１、２１、５１  回転ロータ  ２、１２、２２、５２  ロータ
３、１３、２３、５４  清掃体  ５、１５、２５  清掃片
５３  支持溝  ５５  従動プーリ  ５６  軸
５７  従動側ブラケット  ５８  遊び側ブラケット  ５９  ワッシャ
６０  軸受け  ６１  軸受けホルダー
【図１】
0004750323.tif 000002
【図２】
0004750323.tif 000003
【図３】
0004750323.tif 000004
【図４】
0004750323.tif 000005
【図５】
0004750323.tif 000006